(57)【特許請求の範囲】
【請求項１】
ケ−ス本体(1)の一方側にＡＣコ−ド(３)の導出部を備える電子機器において、 ケ−ス本体(1)の背面壁(5)の外側には、建造物の壁面に当接させる為の膨出状に形成された台座(21)を備えさせ、さらに上記台座(21)を備える背面壁(５)の外側には、内側にＡＣコ−ド(３)収納用の凹溝(８)を備えている膨出部(23)を背面壁(５)の外面に沿って一方から他方へ伸びる状態で、かつ、外側に膨出した状態で具備させ、
さらに、上記膨出部(23)の内側に備えさせる凹溝(８)は、ケ−ス本体(1)の内側に開口させてケ−ス本体(1)の内側から凹溝(８)にＡＣコ−ド(３)を収納できるようにしてあり、その凹溝(８)には、凹溝(８)の内側に収納するＡＣコ−ド(３)を固定するためにその凹溝(８)の相対する側壁（９）から相手側の側壁（９）に向けて突出片（10）を張り出してあって、上記の突出片(10)で凹溝(８)内に収納したＡＣコ−ド(３)を保持するようにしてあることを特徴とする電子機器。
【発明の詳細な説明】
【０００１】
【産業上の利用分野】
本発明はテレビ共同受信用のブ−スタ−、コンバ−タ−などとして用いられる電子機器に関する。
【０００２】
【従来の技術】
この種の電子機器にあっては、例えば実公昭５７−３８８６８号公報に示されているように、ケ−ス本体の一方側から外部にＡＣコ−ドを導出すると共に、その近くに入力用あるいは出力用の同軸ケ−ブルを接続するための端子を備えている。従ってケ−ス内の一方側にはなるべく増幅回路や周波数変換回路などの電子回路を配置し、高周波インピ−ダンス特性が乱れないようにしていた。そしてケ−ス本体内の他方側にはトランスや電解コンデンサなどの大型部品から成る電源回路を配置していた。
【０００３】
【発明が解決しようとする課題】
しかし、上記のような配置を行うためには、ＡＣコ−ドを、ケ−ス本体の一方側からケ−ス内他方へ向けて配線することが必要になる。しかもその配線は、ＡＣコ−ドの揺れ動きがケ−ス内一方側にある電子回路に高周波インピ−ダンスの乱れなどの悪影響を及ぼさないように、安定に固定する必要があった。そこでステップルの類の部材を用いてケ−ス内に固定していた。このことは組立工程の増加や、電子機器の厚み、あるいは横幅の増加、ひいてはその大形化による設置工事の不便さを招いていた。そこで本発明は上記のような問題を解決すべくなされたもので、その目的とするところは、（１）ＡＣコ−ドを安定固定するため組み立てが簡単で、（２）実質的な厚みあるいは横幅を減少させて重量増加を防ぎ、配電ボックス内などへの設置工事が能率良く行える、電子機器を提供することにある。
【０００４】
【課題を解決するための手段】
上記目的を達成するためになされた本発明は、ケ−ス本体一方側にＡＣコ−ドの導出部を備える電子機器において、ケース本体の設置部内側には、ＡＣコ−ド収納用として、一方から他方へ伸びる凹溝が形成してあり、その凹溝の相対する側壁からは交互に突出片が張り出してあって、一方の側壁と他方側壁側の突出片および他方の側壁と一方の側壁側の突出片の間でＡＣコ−ドを保持している電子機器、を要旨とする。
【０００５】
【作用】
ＡＣコ−ド収納用としてケ−ス本体の設置部側に設けられた凹溝内に ＡＣコ−ドを収納するに当たっては、ＡＣコ−ドの一方または両方をケ−ス本体に固定する。次に凹溝と対応する部分のＡＣコ−ドを、突出片に合わせて蛇行させながら凹溝に収納する。ＡＣコ−ドの弾力性により、ＡＣコ−ドは凹溝の一方の側壁と他方側壁側の突出片、他方の側壁と一方側壁側の突出片との間にはまり込み、容易に動かないようになる。
【０００６】
【実施例】
以下本発明の実施例を示す図面について説明する。図１は電子機器として例示するテレビ共同受信用ブ−スタ−を一部分解し、一部破断して示す正面図、図２はその背面斜視図である。図３は建造物の板壁面に取り付けたブ−スタ−の正面図、図４はその断面図である。これらの図において、１はケ−ス本体で、例えばアルミ合金をダイカスト成形し、正面側を開口させた箱型に形成してある。尚ケ−ス本体１の材料としては、ＡＢＳ樹脂などの合成樹脂を用いることもできる。２はケ−ス本体１に設けられた底面壁を示す。３はＡＣコ−ドで、先端に商用電源接続用のＡＣプラグを備えている。ＡＣコ−ド３としては、通称ＶＣＴＦＫと称される、ビニルキャプタイヤ長円形コ−ドにＡＣプラグなどを付設したものが用いられるが、コ−ドに弾力性がありさえすれば、他の種類のコ−ドでもよい。４はケ−ス本体１の底面側に備えられた、ＡＣコ−ド３の導出部である。５は箱型のケ−ス本体１において設置部側として例示する背面壁、６は同じくケ−ス本体１の側面壁を示す。７は筒状に形成された、テレビ信号入・出力用の、同軸ケ−ブル導入部を示す。８は凹溝で、ケ−ス本体１内側の背面壁５に設けられている。この凹溝８の測壁９には、突出片１０が設けられている。左の側壁９の突出片１０と右の側壁９の突出片１０は、図１に明示されるように交互に設けられている。尚この突出片１０は、くさび形にして凹溝８の中央側に突設させてもよい。上記の底面壁２、背面壁５、側面壁６、同軸ケ−ブル導入部７、凹溝８、突出片１０はケ−ス本体１を形成する際に、ダイカスト成形で同時に形成される。
【０００７】
１１ａ、１１ｂはケ−スカバ−で、ＡＢＳ樹脂などの合成樹脂材料により形成され、ケ−ス本体１に被せ付けて取り付け固定されている。１２はケ−スの上部空間内に設けられた電源回路を示す。この電源回路１２は、プリント基板１３上に、電源コネクタ１４、電解コンデンサ−、セラミックコンデンサ−、電源トランスなどの電子部品１５を搭載し、電気的および機械的に接続して形成されている。１８は高周波回路ユニットで、ニッケルメッキを施した鉄板ケ−スの中に、増幅回路や周波数変換回路などを内蔵させてある。この高周波回路ユニット１８は、取付ねじ１７によってケ−ス本体１に取付けられる。１９ａ、１９ｂは接栓座で、それぞれ高周波回路ユニット１８に高周波信号を入力するための端子、高周波回路ユニット１８から高周波信号を出力するための端子として用いられる。
【０００８】
図４に示される２０は、ケ−ス背面に設けられた引掛片で、これは図示のようにケ−スカバ−１１ａを建造物の板壁やのき下などの板壁面あるいはコンクリ−ト壁や配電ボックス内の壁等の壁面に取り付ける際に用いられる。
２１はケ−ス背面壁５の外側に対して、図２のように板壁面に向けて膨出させた状態に設けられたマスト取付金具用の台座を示す。２１ａは上記建造物の壁面に当接させる台座２１の周縁部を示す。
本実施例の電子機器は、この台座２１にねじ孔２２を利用してマスト取付金具を固定することによって、マストにも取付け可能とすることができる。２３はケ−ス背面壁５の外側に対して、図２、４のように設けられた膨出部で、ケ−ス背面壁５の内側に凹溝８を形成した部分の外側である。これらの台座２１と膨出部２２はケ−ス本体１をダイカスト成形する際に一体的に形成される。また台座２１の周縁部２１ａと膨出部２３の高さは略同一とされ、平らな板壁面に、図４の如く安定してより添うように図られている。２４は電子機器を木ねじなどで板壁面に取付ける際に使用されるねじ受部である。尚図４において、２５は壁面取付用金具で、Ω字を平らにつぶしたような形状をしており、予め板壁面に固定されて、引掛片２０を引掛けるために利用されている。
【０００９】
次に電子機器を分解して示す図５を用い、この電子機器の組立て方法について説明する。電源回路１２や高周波回路ユニット１８は予め仕掛り品として組立てが完成されているものとする。
（１）ケ−ス本体１の上部空間に電源回路１２を収納し固定する。
（２）先端部にＡＣプラグ３０、そして根元近くに張出部３１と溝部３２とつば部３３を備えるＡＣコ−ド３について、根元部を加工し電気コネクタ−３４を取付ける。
（３）底面壁の透孔３５に、ＡＣコ−ド３をコネクタ−３４の側から挿通する。
（４）コネクタ−３４をコネクタ−１４に接続する。
（５）つば部３３が底面壁２の透孔３５周縁に引掛るまでＡＣコ−ド３をケ−ス内方へ引張り、底面壁２の内方に現れた溝部３２にコ字状の止め金具４０をはめ込むことによって、ＡＣコ−ド３を底面壁２に固定する。
（６）ＡＣコ−ド３を突出片１０に合わせて蛇行させながら、凹溝８内に収納する。この場合、ＡＣコ−ド３の細幅の部分をケ−ス内方側にして収納すると曲げやすい。ケ−ス本体１内の仕切板４１に設けられた切欠４２までＡＣコ−ド３の上記収納が終われば、ＡＣコ−ド３の取り付け作業は完了する。
（７）高周波回路ユニット１８を持ち、接栓座１９ａ、１９ｂを底面壁の各透孔４３ａ、４３ｂに各々挿通した状態で、高周波回路ユニット１８をケ−ス本体１内にねじ固定する。
（８）ケ−ス本体１にケ−スカバ−１１を被せる。
【００１０】
【発明の効果】
以上のように本発明によれば、ＡＣコ−ドを安定固定するため組み立てが簡単な電子機器が提供できる。しかも内側にＡＣコ−ド３収納用の凹溝８を備えている膨出部23は、背面壁５の外側に膨出させた状態で備えさせるから、実質的に機器の厚みを増加させる恐れはなく、小嵩にできる利点があり、狭いスペ−スにおいても容易に取付け作業を行い得る電子機器が提供できる。
【図面の簡単な説明】
【図１】蓋を取り去り、高周波回路ユニットを分離した電子機器を、一部破断して示す正面図である。
【図２】電子機器の背面斜視図である。
【図３】板壁面に取り付けたブ−スタ−の正面図である。
【図４】図３におけるブ−スタ−のＡ−Ａ断面図である。
【図５】電子機器の一部の分解斜視図である。
【符号の説明】
１ ケ−ス本体
２ 底面壁
３ ＡＣコ−ド
４ 導出部
８ 凹溝
９ 側壁
１０ 突出片
【図１】
0003665361.tif 000002
【図２】
0003665361.tif 000003
【図３】
0003665361.tif 000004
【図４】
0003665361.tif 000005
【図５】
0003665361.tif 000006